(57)【要約】【目的】ユーザの耳道の形状に適合し，かつ組立ての容易な補聴器ハウジングを提供する。【構成】耳道内に挿入される補聴器の補聴器ハウジングは，フェースプレートおよびユーザの耳道に適合するシェルを含む。フェースプレートの内側表面はフェースプレート突起を備え，シェルはフェースプレート突起を受容する窪みを備えている。フェースプレート突起をシェルの窪みに入れることによって，シェルとフェースプレートが組立てられる。シェルおよびフェースプレートの適切な組み立てが容易になる。【選択図】図３６
2008154296.tif 000002
【特許請求の範囲】
【請求項１】
フェースプレートと，捕捉される耳道の形状を表すデータに基づいて形成される補聴器シェルの３次元モデルに基づいて製造される，上記耳道の形状に適合するシェル表面をもつ補聴器シェルと，を備えた補聴器ハウジングであって，
上記補聴器シェルは，
上記補聴器シェル表面を少なくとも部分的に取囲み，上記補聴器シェルが耳道に挿入されたときに耳道壁に対して隙間のない密閉を提供する締輪郭であって，ユーザの動作が引起こす耳道の寸法の動的変化が小さい耳道内の位置に対応する上記補聴器シェル表面の範囲の外側寸法を拡大した締輪郭を有しており，
上記締輪郭は，上記補聴器シェルが耳道内に挿入されたときに上記耳道の形状の変化に追従可能な可撓性締リングを含み，
上記補聴器シェル表面は上記締輪郭に沿って延びる溝を備え，上記可撓性締リングは上記溝内に配置されており，
上記フェースプレートは，
上記フェースプレートの内側表面において少なくとも１つのフェースプレート突起を備え，
上記補聴器シェルはさらに，上記少なくとも１つのフェースプレート突起を受容する，上記フェースプレート突起に適合する窪みを備えている，
補聴器ハウジング。
【請求項２】
上記締輪郭は，上記補聴器シェル表面を部分的に取囲むリブの形状を持つ突起である，請求項１に記載の補聴器ハウジング。
【請求項３】
上記締輪郭は，上記補聴器シェル表面を全体に取囲むリブの形状を持つ突起である，請求項１に記載の補聴器ハウジング。
【請求項４】
上記可撓性締リングは，補聴器シェル表面の全体を取囲むように設けられている，請求項１に記載の補聴器ハウジング。
【請求項５】
上記溝が上記補聴器シェル表面を取囲んでおり，上記溝は上記補聴器シェルに装着された可撓性締リングに適合する形状および寸法の断面をもつ，請求項１に記載の補聴器ハウジング。
【請求項６】
上記締輪郭は，上記溝内に上記補聴器シェルの材料と異なる材料を積層することによって設けられ，上記積層された材料が締突起を構成する，請求項１に記載の補聴器ハウジング。
【発明の詳細な説明】
【技術分野】
【０００１】
この発明は、ユーザの耳道の形状に個別的に適合する補聴器ハウジングに関するものである。
【背景技術】
【０００２】
米国特許明細書第5,487,012 号には、開口を備えた補聴器シェルとその開口をカバーするフェースプレートとを含む補聴器ハウジングの製造に関する方法が開示されている。シェルは、ユーザの耳道の形状に個別的に適合する。その方法は、ａ）耳道の形状を直接的または間接的に捕捉してその形状を表わすディジタルデータを入手し、ｂ）その形状のディジタル表現を、適合するシェルの外側形状の多次元コンピュータモデルに変換し、ｃ）シェルの３次元コンピュータモデルから得られたデータに基づいてシェルをコンピュータ制御の下で製造する各ステップを含む。米国特許明細書第5,487,012 号では、フェースプレートの製造に関する問題点は認識されていない。
【０００３】
米国特許明細書第6,167,141号は変形可能な柔軟な環状領域を持った実質的に固いプラスチック材料により形成された補聴器ハウジングを開示している。この補聴器ハウジングは耳の型を形成し、凹型をつくるためにこの型を修正し、シェルをキャスティングし、そして流動状態で柔軟な材料を適用することによって製造される。
【発明の開示】
【０００４】
この発明の１つの目的は、補聴器ハウジングの上述の製造方法に関して、例えば補聴器ハウジングの製造の自動化に関する改善のような、更なる改善を提供することにある。
【０００５】
この発明の１つの目的は、耳内式補聴器の個別的に適合するハウジングの設計および製造を更に自動化することにある。
【０００６】
この発明のもう１つの目的は、耳道内および外耳内において利用可能である空間の最適な利用を促進し、それによって補聴器のサイズを最小化することにある。
【０００７】
この発明の更なる１つの目的は、魅力的な外観を備えた補聴器を提供することにある。
【０００８】
この発明は、第１の観点では、請求項１から６に規定された補聴器ハウジングを提供することによって上述の目的およびその他の目的を達成する。
【０００９】
この発明によれば、フェースプレートの設計および製造は、補聴器ハウジングのモデルからのデータに基づいた少なくとも１つの自動的な処理ステップを含み、それによって、フェースプレートは、補聴器シェルに適合するように自動的に製造される。例えば、接合部輪郭のデータは、その接合部輪郭に適合する輪郭に沿って、個別的に製造されるフェースプレートを自動的に切断する数値制御機械に供給することが可能である。
【００１０】
耳型のような身体の形状を計測しまたは捕捉する様々な方法は、当該分野では周知である。対象物の表面上における点の位置の計測は、機械的装置をその点に接触するように移動させ、その機械的装置の位置を読取ることによって、例えば可動部分上にスケールを有する座標計測機械を使用して、実行することが可能である。
【００１１】
非接触的な計測では、対象物の表面上における点の位置は、放射エネルギーの１本またはそれ以上のビームを対象物に向けて発信し、対象物の任意の部分と相互作用した放射エネルギーを検出することによって、計測することが可能である。
【００１２】
放射エネルギーは、Ｘ線、ガンマ線、紫外線、可視光線、赤外線、遠赤外線、ＵＨＦ放射、ＨＦ放射のような任意周波数の超音波放射、音波放射、電磁放射線など、電子、中性子、アルファ粒子の放射のような粒子放射などのように、任意の形態のものが可能である。
【００１３】
形状が計測される対象物は、エネルギーの反射、屈折、回折または吸収によって、またはそれらの任意の組合せによって放射エネルギーと相互作用することが可能である。
【００１４】
例えば、レーザは、計測される対象物に向う直線的な光線を放出することが可能であり、ＣＣＤチップを備えたビデオカメラは、対象物の表面から拡散的に反射する光を検出するために利用することが可能である。その後、ビームを反射させる対象物表面の点の位置は、三角測量法によって計測される。ビームは、例えば可動ミラーなどによって、対象物の表面の全体にわたって掃引される。
【００１５】
対象物の形状は、複数の電子カメラによって計測することもまた可能である。その場合には、対象物は、実質的に白色の光をすべての方向に放射する白熱電球のような１組のインコヒーレント光源によって照明される。互いに関して既知の位置にある複数のカメラは、三角測量法によって対象物表面の点の位置を計測するために使用される。
【００１６】
耳道の形状が耳道それ自体の走査によって捕捉されるときには、耳道の動的な記録を実行することが可能である。耳道の形状は、喋ったり、食べたり、飲んだりすることなどの結果として変化するので、耳道の形状を捕捉するこの方法は、時間に応じて変化するデータを提供するものであり、それによって、そのような形状変化を、対応する補聴器ハウジングの製造の間に考慮することもまた可能である。
【００１７】
代替的には、耳道の形状変化に適応させるために、様々なあごの位置において、複数の型を耳道によって形成することもまた可能である。例えば、２つの型を、一方が閉じた口、他方が開いた口について形成することも可能である。
【００１８】
耳道および外耳の部分の形状を示すディジタルデータを捕捉した後、これらのデータを、ＣＡＤ／ＣＡＭ（コンピュータ支援設計／コンピュータ支援製造）システムの周知の方法に従って更に操作して、例えば補聴器シェルの形状の３次元モデルを形成することを含めて、補聴器ハウジングを設計して製造することが可能である。更に、そのモデルを、様々な３次元画像および２次元断面でコンピュータスクリーン上に表示することも可能であり、モデルの調整のために、本明細書において説明する機能を含む様々な自動的機能およびオペレータ制御による機能もまた、ＣＡＤ／ＣＡＭシステムによって提供することが可能である。
【００１９】
したがって、この発明によれば、ＣＡＤ／ＣＡＭシステムは、フェースプレートとユーザの耳道に適合するシェルとを備えた補聴器ハウジングの設計および製造のために設けられ、このシステムは、耳道の形状を表わすデータを受取って処理するように適応されるプロセッサを含み、そのデータに基づいてシェルの３次元モデルを形成し、そのモデルに基づいてシェルおよびフェースプレートを製造するためにモデルを表わすデータを出力する。
【００２０】
捕捉されたディジタルデータからは、２つの全く同じモデル、すなわち外耳の部分を包含する耳道のモデルおよび補聴器シェルのモデルが形成され得ることになる。耳道のモデルは変化しないままに留まるが、補聴器シェルのモデルは、以下で説明するように、様々な造作（特徴）の修正および追加を受けることが可能である。それらのモデルは、識別可能な色で表示することが可能であり、シェルは、耳道の中に挿入された形で表示されることも可能である。この目的およびその他の目的のために、耳道のモデルは透けて見えるように表示することが可能である。
【００２１】
補聴器シェルの３次元モデルを形成する際、シェルを取り囲む輪郭を、補聴器シェルとフェースプレートとの間の接合部を規定するために選択することが可能であり、選択された接合部輪郭を表わすデータが決定され得ることになる。好適には、接合部輪郭は、平面的な輪郭である。
【００２２】
この発明によれば、シェルは、そのモデルに基づいて製造され、接合部輪郭によって規定される外側開口によって終端され得ることになる。
【００２３】
この発明の１つの実施例では、接合部輪郭データは、接合部輪郭に適合する輪郭に沿って、個別的に製造されるフェースプレートを自動的に切断する数値制御機械に転送される。上述のように、接合部輪郭は、平面的なフェースプレートと矛盾しない平面的な輪郭であることが可能である。
【００２４】
フェースプレートは、シェルの対応する位置決め手段に係合するための位置決め手段を含むことが可能であり、フェースプレートの周囲は、フェースプレート位置決め手段がシェル位置決め手段と係合するとき、シェルの接合部輪郭に適合することになる。
【００２５】
１つの好適な実施例において、フェースプレート位置決め手段は、フェースプレートの内側表面において少なくとも１つのフェースプレート突起を含み、シェル位置決め手段は、少なくとも１つのフェースプレート突起を受容してそれに適合する窪みを含む。フェースプレートは、接合部輪郭に沿って切断され、少なくとも１つのフェースプレート突起が、適合するシェルの窪みによって受容されるとき、それは、接合部輪郭に適合することになり、それによってフェースプレートおよびシェルの適切な組立てが容易にされる。
【００２６】
もう１つの実施例では、フェースプレート位置決め手段は、接合部輪郭におけるシェルの厚さと実質的に等しい周囲からの距離でフェースプレートの周囲において終端するフェースプレートの内側表面における少なくとも１つのフェースプレート突起を含む。シェル位置決め手段は、接合部輪郭におけるシェルを含む。フェースプレートは、接合部輪郭に沿って切断され、少なくとも１つのフェースプレート突起の端部がシェルの内側表面の対応する部分に当接するとき、それは、接合部輪郭に適合することになる。シェル位置決め手段は、対応するフェースプレート突起を受容して保持するために、シェルの内部に向かって内側方向に延びる接合部輪郭における突起を更に含むことも可能である。
【００２７】
電池の挿入および除去を容易にするフェースプレートにおける電池開口の形状、寸法および位置を、選択することが可能であり、それらはフェースプレート・モデルの中に包含され得る。このモデルに基づいて、開口は、数値制御工作機械を利用した製造の間に自動的に設けることが可能である。
【００２８】
同様に、少なくとも１つのマイクロフォン開口を、フェースプレートに設けることが可能である。
【００２９】
この発明のもう１つの好適な実施例では、補聴器ハウジングは、一体的なフェースプレートを備えて製造される。
【００３０】
一体的なフェースプレートは、ユーザの耳道の形状に適合するものではない補聴器ハウジングの表面の一部として規定されるものであり、むしろ、それは、補聴器ハウジングが耳道の中に挿入されるとき、補聴器ハウジングのユーザの周囲に向いた終端部分を規定するものである。
【００３１】
当然ながら、フェースプレートは、フェースプレートの少なくとも一部とシェルが１つのユニットとして一緒に製造されるとき一体的であることになる。例えば、フェースプレートは、接合部輪郭に沿ったシェルに対するフェースプレートの接合部分がシェルと一緒に製造されるとき、すなわちシェルの製造の間にシェルに対するフェースプレートの接合が本質的に実行されるとき、一体的であると呼ばれる。
【００３２】
この発明の１つの好適な実施例によれば、フェースプレートの３次元モデルは、選択された接合部輪郭に適合するように形成されるものであり、フェースプレート・モデルおよびシェル・モデルは、補聴器ハウジングの１つの３次元モデルに組合わされる。組合わされた（結合された）モデルに基づいて、一体的なフェースプレートを備えた補聴器ハウジングは、例えば、ステレオリソグラフィー、レーザシンタリング（焼結）、ヒューズドデポジションモデリング、ドロップデポジションプリンティング（インクジェットプリンティングに類似する）などのような、ラピッドプロトタイピング技術を利用して、製造される。
【００３３】
一体的でないフェースプレートに関して上述したように、電池の挿入および除去を容易にする一体的なフェースプレートにおける開口の形状、寸法および位置を、選択することが可能であり、ハウジング・モデルの中に更に包含されるフェースプレート・モデルの中に包含することが可能である。
【００３４】
同様に、少なくとも１つのマイクロフォン開口もまた、一体的なフェースプレートに設けらることが可能である。
【００３５】
少なくとも１つのマイクロフォン開口に関して、第１および第２のマイクロフォン開口にそれぞれ位置決めされる２つのマイクロフォンの指向特性を、計算することが可能であり、それぞれの第１および第２のマイクロフォン開口の第１および第２の位置は、所望の指向特性に対応するように選択することが可能である。それらの計算は外耳の形状を含むことが可能であり、それは、例えば対応する耳道の形状を計測する間に計測される。
【００３６】
フェースプレートは、補聴器コンポーネントを受容して保持するための係合手段を有することが可能であり、係合手段のモデルは、続いて補聴器ハウジング・モデルの中に包含されることになるフェースプレート・モデルの中に包含されることが可能であり、したがって一体的なフェースプレートは、例えばラピッドプロトタイピング技術を使用して、係合手段を備えて製造され得ることになる。
【００３７】
この発明の１つの実施例では、フェースプレートは、電池開口を包含するように個別的に製造される。個別的に製造されたプレートもまた、係合手段を含むことが可能である。その場合、補聴器ハウジングのシェルは、例えばラピッドプロトタイピング技術を使用して、そのプレートに対して層毎に取付けられ、または当接するように製造され、シェルの第１の層または断面は、補聴器ハウジングの前もって選択された接合部輪郭に沿って電池開口を取り囲むことになる。
【００３８】
この発明のもう１つの実施例では、電池開口を包むフェースプレートの一部だけが、個別的に製造される。その部分の周囲は、補聴器ハウジング・モデルの中に包含されるものであり、補聴器ハウジングは、一体的なフェースプレートを備えて製造され、その一体的なフェースプレートは、個別的に製造された部分に層毎に取付けられまたは当接し、第１の層がその部分の周囲に当接する。代替的に、シェルを、フェースプレートに対向する端部から始まるように形成することも可能であり、一体的なフェースプレートが、個別的に製造されたフェースプレートの部分の周囲に適合する周囲を有する開口によって終端するように形成されたとき、その部分は、開口の中に位置し、開口に嵌合して取付けられる。
【００３９】
更に、１つまたはそれ以上の補聴器ハウジングは、ラピッドプロトタイピング技術を利用して、バッチ式で平行して製造することも可能である。例えば、バッチプレートは、複数の補聴器ハウジングに対応する複数の電池開口を包むように、個別に製造することが可能である。バッチプレートは、補聴器ハウジングの係合手段を備えることもまた可能である。その場合、電池開口の各々においてシェルが形成され、その第１の層が、それぞれの補聴器ハウジングの接合部輪郭に沿ってそれぞれの電池開口を取り囲む。もう１つの具体例では、上述の個別的に製造されるフェースプレートの複数の部分は、複数の補聴器ハウジングをバッチにおいて平行して製造するように、ラピッドプロトタイピング装置の中に位置決めされる。それらの部分を正確に知られた位置に精密に受容して保持するための位置決め手段を備えたプロトタイピング装置の中には、取付け具が設けられることも可能である。その取付け具の位置決め手段に適合する対応する位置決め手段を各部分に設けることが可能である。
【００４０】
個別的に製造されるフェースプレートまたはフェースプレートの一部またはバッチプレートは、バネ、弾力的な弾性ラグ、電気端子などのような金属製の部分を包むことが可能である。
【００４１】
補聴器は、モジュール式補聴器であることが可能であり、それは補聴器ハウジングを含み、さらに補聴器ハウジングに内蔵されるソケットと、少なくとも１つのマイクロフォンと、信号プロセッサと、レシーバとを備えた電子モジュールを含む。補聴器ハウジングは、電池および電子モジュールを出入りさせるための電池開口が形成されたフェースプレートを含む。更に、補聴器ハウジングは、ソケットを受容しかつ取外し可能に保持するための係合手段を含む。電子モジュールが補聴器ハウジングに損傷を与えることなく補聴器から取り出され得るということは、モジュール式補聴器の１つの重要な利点である。
【００４２】
係合手段は、ソケット上に形成された協働式ソケット係合手段と係合するための溝、トラックおよび／または切欠きを含むことが可能である。
【００４３】
ソケット係合手段は、弾力的な弾性ラグを含むことが可能である。
【００４４】
ラグは、ソケットから突出する電池端子と一体的であることが可能である。
【００４５】
補聴器からの音声を鼓膜に向かって伝達するための補聴器シェルにおける音響出力開口の形状、寸法および位置を、選択することが可能であり、シェル・モデルの中に包含され得る。
【００４６】
耳道モデルに挿入された補聴器ハウジングのモデルを表示することで、音響出力開口の位置の選択を容易にすることが可能であり、出力開口は、耳道の長手方向軸の方向に音声を放射（放出、発生、出）させることになり、結果として、出力開口が耳道の壁部に向かって音声を放射させる危険、すなわち出力開口が耳道の壁部によって部分的または完全に閉塞されてしまうという危険を最小化する。
【００４７】
好適には、補聴器ハウジングは、一体的な通気チャネルを備えて製造される。モデルがフェースプレートを包含するかまたは排除するように補聴器ハウジングの３次元モデルを形成する際、通路は、通気チャネルがそれに沿って延びるように意図されるものとして選択することが可能である。通気チャネルは、チャネルの長さの全体にわたって一様であるかまたは一様でない断面を備えた管を構成することができる。通気チャネルの断面は、円形、正方形、長方形または丸い角をもつ長方形などのように、任意の形態をとることが可能である。通気チャネルの断面および通気チャネルの壁の形状および寸法は、例えばＣＡＤ／ＣＡＭシステムから周知であるように、手動で指定することが可能であり、チャネルの長さに沿って変化させることもできる。シェルの壁部は通気チャネルの壁の一部を構成してもよい。補聴器シェルにおけるフェースプレートに対向する通気チャネルの開口を表わすデータが計算され、シェルは、通気チャネル開口を備えて自動的に製造することが可能である。更に、フェースプレートにおける通気チャネルの開口の位置および幾何学的形状は、自動的に計算することが可能であり、通気チャネル開口を備えたフェースプレートの自動的な製造を容易にする。
【００４８】
音響出力開口については、耳道モデルに挿入された補聴器ハウジングのモデルを表示することによって、シェル通気チャネル開口の位置の選択を容易にすることができ、それは、耳道の長手方向軸の方向を指し示すので、結果として、通気チャネル出力開口が耳道の壁によって部分的または完全に閉塞されてしまうという危険を最小化する。
【００４９】
音響出力開口および通気チャネル開口のいずれかまたは両方が、耳垢ガードを受容して保持するように適応することが可能である。これらの開口および耳垢ガードは、国際特許出願公開 WO 00/03561において開示されたタイプのものでよい。シェルの中で内側方向に延び、耳垢ガードの挿入のためのブッシングを形成するように、パイプスタブを、製造されるシェルの中に形成することが可能である。開口の廻りの領域をカバーし、耳垢ガードのカラーに適合し、または耳垢ガードを受容して保持するために開口に挿入されるブッシングのカラーに適合するように、凹部をシェルの中に形成することが可能である。好適には、シェルに弱い領域が形成されるのを回避するために、凹部において壁部の厚さが維持される。
【００５０】
シェルは、レシーバの振動吸収サスペンションのための手段を備えて製造することが可能である。例えば、シェルは、弾性ストラップを受容して保持するためのストラップホルダを含むことができ、続いて、その弾性ストラップが、レシーバを保持しまたは掴んで、レシーバの振動吸収サスペンションを提供する。もう１つの実施例では、シェルは、レシーバを受容して保持するためのチャンバまたは突起と、レシーバの廻りに固定されて、レシーバをチャンバの中において支持してサスペンドするための突起を有する少なくとも１つの弾性バンドとを含む。
【００５１】
補聴器シェル・モデルの外側寸法は、シェルが耳道の中に挿入されるとき対応する補聴器シェルが耳道組織に圧力をかけるように、選択的に拡大することが可能である。外側寸法は、シェルの全表面にわたって一様に拡大することが可能であり、または、その寸法拡大は、耳道の深くに位置する組織には非常に僅かな圧力だけがかかるかまたは何の圧力もかからないように、シェルの長手方向軸に沿って徐々に縮小することも可能である。代替的にまたは追加的に、外側寸法はシェル表面の選択された領域において拡大することが可能である。例えば補聴器シェルを部分的または完全に取り囲むリブを形成する。そのリブは、シェルが耳道の中に挿入されるとき、耳道の壁に対して隙間のない密閉を提供することになる。
【００５２】
更に、シェルの表面に沿って延び、シェルを部分的または完全に取り囲む締輪郭を選択することが可能である。その輪郭に沿って延びる溝をモデルに含めることが可能である。その溝の断面の形状と寸法は、製造されるシェルに装着される所望の締リングに適合し、または代替的に、シェルの材料とは異なった材料を自動的に積層するのに適応する。積層された材料は、締突起を構成することになる。締突起または締リングは、シェルが耳道の中に装着されるとき、耳道に対するシェルの適切かつ確実な締めを提供する。耳道の中に挿入されるときに補聴器シェルが有効な密閉を提供するものではない場合には、増幅された音響信号は、周囲に漏れる可能性があり、潜在的に、マイクロフォンに到達して、補聴器ゲインを減少させることによってのみ相殺できるフィードバックによって発生する発振を引き起こし、結果として、補聴器の十分な性能が利用できないことになる。更に、耳道の形状は、典型的には、噛んだり、あくびしたりするなどのユーザの動作に応じて変化する。硬い補聴器シェルは、あごの動きに起因する耳道形状の変化に対して調節可能ではなく、したがって、最初に完璧にフィットしたシェルは、通常の使用時に不満の残る結果を生じさせる可能性がある。可撓的な締リングが、この問題を解決する。
【００５３】
耳道の形状が動的に計測される１つの実施例では、締輪郭の位置は、好適には、耳道の寸法についての上述の動的な変化の小さい耳道内の位置に対応するように選択されるものであり、それによって、耳道内におけるシェルの確実かつ隙間のない装着がユーザの動作に依存することなく提供されることになる。
【００５４】
マイクロフォン、信号プロセッサ、出力トランスデューサなどの様々な補聴器コンポーネントの形状および幾何学的形状の３次元モデルは、データベースに記憶することが可能であり、補聴器への組み込みのために選択され得る。周知のＣＡＤ／ＣＡＭ方式を利用することにより、選択されたコンポーネントのモデルは、補聴器ハウジング・モデルの中に位置決めして表示することが可能であり、例えば、最小サイズの補聴器を提供するために、それぞれの最適な位置および方向付けを選択するためにあちこちに移動することが可能である。衝突チェックを実行することが可能であり、補聴器シェルの造作（特徴）（部品、部材、部分、機構）の位置を、例えば通気チャネルの位置を、補聴器コンポーネントを更に最適に位置決めするため、あちこちに移動することもできる。
【００５５】
シェル内の或る位置には特定のコンポーネントのために十分な空間が存在し得るのであるが、例えばシェルの内部体積が入力開口においてボトルネックを形成するので、そのコンポーネントをその位置に移動することができない可能性もある。したがって、補聴器の設計では、衝突チェックは、問題のコンポーネントを入口開口からシェルの中に入れ、所望の通路に沿って所望の装着位置に向かって移動させる間に実行することもまた可能である。
【００５６】
シェルの形状は、特定のコンポーネントのための十分な空間を用意するためにシェルの内部体積を増大させるために、選択的に調節することが可能である。好適には、シェルの外側断面は、圧力に対して比較的過敏でない耳道部位に対応する領域において拡張される。
【００５７】
接合部輪郭の通路の選択は、シェル・モデルが耳道の中に挿入された形で表示されているときに実行することが可能である。このようにして、シェル外側開口をカバーするフェースプレートの位置は、補聴器が耳道の中に挿入されているときに最適な外観を呈するように選択することができる。外耳の部分のモデルは、補聴器の外観の評価を容易にするために耳道のモデルの中に含ませなければならないものであることに留意すべきである。典型的には、耳道の型は、外耳の一部の型も包含する。
【００５８】
シェル・モデルの表面は、鋭い縁および角を取り除き、滑らかな表面が得られるように平滑化することが可能である。シェルの全体を平滑化することが可能であり、または、シェルの特定の領域を、例えばカーソルを備えたコンピュータ・マウスを使用して、周知のＣＡＤ／ＣＡＭ技術によって平滑化するために選択することも可能である。
【００５９】
例えば、耳道の型を形成するときに耳道の中に耳垢または剥離組織が存在すると、シェル・モデルの中に不都合な人為的構造（人工的)(artifact）を形成してしまう可能性がある。人為的構造は、その人為的構造によって覆われた表面をモデルから削除し、その人為的構造の周囲のモデル表面に基づいて、削除された表面の代わりになる新しい表面を計算することによって、補聴器ハウジング・モデルから取り除くことが可能である。
【００６０】
更に、製造される補聴器ハウジングの（製造）連続番号またはその他の認識票（識別証、識別子)(identification）を、例えば選択された位置において、ハウジング・モデルの中に組み込むことも可能であり、そのハウジングは、固有の識別証を伴って製造され得ることになる。
【００６１】
完成した補聴器ハウジング・モデルを、将来的な検索のためにデータベースに記憶することが可能である。
【００６２】
データベースは、設計プロセスの更なる自動化のために利用することが可能である。例えば、耳道の形状を示す捕捉されたデータを、データベースの中に記憶されたハウジング・モデルの形状と比較することが可能であり、最良の合致を検索することができ、補聴器ハウジングの造作（特徴）の位置、更には補聴器コンポーネントの選択、位置および方向もまた、設計されるべき補聴器ハウジングにおいて自動的に再使用することができる。オペレータは、その後、検索された位置、方向および選択内容を調整しまたは変更することができる。比較は、補聴器ハウジングの選択された対応領域に関してのみ行なうことが可能である。それらのモデルは、必要とするデータ量の少ない縮小した形態においてデータベースの中に記憶することも可能である。なぜなら、補聴器ハウジングの製造のために必要とされる非常に高い機械的な許容値は、記憶された補聴器ハウジング・モデルに関連する位置、方向、選択内容、造作（特徴）またはコンポーネントを再使用するという目的で形状を比較するためには必要とされるものではないからである。
【００６３】
患者データベースは、例えば、名前、問題の患者の補聴器ハウジング・モデルに付いている番号のような患者識別子を備えた記録を含むように形成することが可能である。これらの記録には、更に、患者の耳道のオリジナルの型のそれぞれのモデル、患者の補聴器において使用された補聴器コンポーネントの識別子およびモデルなどを保存することも可能である。その場合には、特定のユーザのための新しい補聴器を、例えば耳道の新しい型を形成することによって耳道の形状を再び捕捉する必要なしに、製造することができるようになる。なぜなら、以前に捕捉された形状が、患者データベースから容易に検索され得るからである。
【００６４】
当該分野では、ステレオリソグラフィー、レーザシンタリング（焼結）、ヒューズドデポジションモデリング、ドロップデポジションプリンティングなどのいわゆるラピッドプロトタイピング技術を利用し、ハウジングの３次元コンピュータモデルに基づいてハウジングを製造することは、周知のことである。
【００６５】
例えば、ステレオリソグラフィーでは、コンピュータモデルは、等間隔、平行平面および水平方向の多数の断面に、それらに限らないが、変換される。その後、ハウジングは、個々の断面平面を連続して、互いの上に重ねて、互いの下にも重ねて、または互いの隣にも重ねるように形成し、それらをまとめて接合することによって製造される。活性化した液体合成樹脂を入れた容器を、コンピュータ制御の可動式プラットホームの上に配置することが可能である。液体合成樹脂の表面にターゲットを定めて照射し、合成樹脂の少なくとも部分的な重合を引き起こすことによって、補聴器ハウジングの第１の断面を生成することが可能である。各断面の完成の後、プラットホームは、その層の厚さだけ降下され、液体合成樹脂の表面上に次の断面平面を、同じようにして形成することができる。これは、重合したハウジングが容器から取り出され得るまで続けられる。
【００６６】
レーザシンタリングは、ＣＯ２レーザによって生起される熱を利用して、層状の様式において粉体材料から３次元対象物を製造する、もう１つの層状製造プロセスである。ステレオリソグラフィーの場合と同様に、コンピュータモデルは、薄い粉体の層にレーザビームを当てることによって連続して形成される多数の断面に変換される。レーザビームは、粉体粒子を溶融させて、固形質量の薄い層を形成する。レーザシンタリングプロセスは、様々な粉体材料の使用を許容するものである。
【００６７】
もう１つの可能性は、インクジェットプリンタにおいて使用されるものと同様なプリンティング方式、すなわちドロップデポジションプリンティングによって断面を形成することであり、例えば、ドロップデポジションプリンティングを使用して連続的な断面を連続して形成し、プリンティング操作において既に発生しているべき少なくとも部分的な重合の後、それらを互いの上に積み重ねて互いに接合し、シェルを形成するのである。
【００６８】
この発明の１つの重要な利点は、特定の耳道に適合し、様々な造作（特徴）（部品、部分、部材、機構）を含む補聴器ハウジングを、例えば、一体的なフェースプレート、通気チャネル、締突起、係合手段を備えた電池開口、耳垢ガードホルダなどの様々な造作（特徴）を包含する補聴器ハウジングを、最小限の手動操作だけで自動的に製造することが可能であるということである。
【００６９】
好適には、シェルは、可撓的な発汗耐性材料から形成される。その材料は、アレルギー反応を引き起こすものであってはならない。
【００７０】
それらのシェルは、好適には、ポリッシングシリンダの中において研摩（ポリッシング）される。
【００７１】
その材料は、無色であってもよいし、または所望の色に近い色のものであってもよい。その後、シェルは、例えばシェルを着色材料の中に浸漬することによって、所望の色の着色物質で着色することができる。
【００７２】
この発明は、以下、図面を参照して更に詳細に説明される。
【実施例】
【００７３】
図１はこの発明に従ったＣＡＤ／ＣＡＭシステム６０を示し、それはプロセッサ６４およびコンピュータディスプレイ６２を含む。ＣＡＤ／ＣＡＭシステム６０は、フェースプレートと、ユーザの耳道に適合するシェルとを備えた補聴器ハウジングの設計および製造のためのものとして適応される。耳道の形状を表わすデータは、そのシステムによって受信されて記憶される。そのデータを受信すると、プロセッサ６４は、そのデータに基づいて、耳道および対応する外耳の一部に関する３次元モデルを形成する。そのモデルは、耳道に適合するシェルを有する所望の補聴器ハウジングの３次元モデルを形成するように操作される。その補聴器ハウジング・モデルは、所望の補聴器ハウジングの設計、製造のために、ＣＡＤ／ＣＡＭシステムの周知の方式に従って更に操作される。設計プロセスでは、そのモデルは、様々な３次元図および２次元断面図でコンピュータディスプレイ６２上に表示することが可能であり、モデルを調整するための様々なオペレータによって制御される関数（機能)(function) もまた用意されている。
【００７４】
設計プロセスにおいて、耳道のモデルは変化しないままに留まるが、補聴器シェルのモデルは、様々な造作（特徴)(feature）の修正および追加を受ける。それらのモデルは、識別可能な色で表示することが可能であり、シェルは、耳道の中に挿入された状態で表示することも可能である。この目的およびその他の目的のために、耳道のモデルは、透けて見えるように表示することが可能である。
【００７５】
補聴器ハウジング・モデルが完成すると、それに対応する補聴器ハウジングが、そのモデルに基づき、ラピッドプロトタイピング装置６６を利用して、例えば一体的なフェースプレートを備えた形で製造される。図示の実施例では、ラピッドプロトタイピング装置６６は、商業的に入手可能なステレオリソグラフィー装置６６である。
【００７６】
図２は、電池開口７８およびマイクロフォン開口７６を備えたフェースプレート２によってカバーされるシェル１を備えた耳内式（in-the-ear）補聴器１０を概略的に示している。その補聴器は、マイクロフォン３、電子増幅器４、電池５、レシーバ６、音響出力開口７、および通気チャネル８を含む。
【００７７】
この発明に従った方法の一般的な原理が、図３に示されている。概略的に示された耳１１は耳道（auditory canal)１２を有し、その形状を捕捉してディジタルデータで表わすことが望まれている。
【００７８】
図３において、耳道の形状はＡにおいて計測（決定）され、メモリ１３にディジタル的に記憶される。そのディジタルデータは、Ｂにおいてシェルの３次元コンピュータモデルに変換され、データメモリ１４の中にセーブされる。耳内式補聴器のためのコンポーネントまたは造作（特徴）に関するモデルは、データベース１５内に記憶されている。このように、データベース１５は、レシーバ、マイクロフォン、増幅器部分、電池などの様々なサイズおよび形状のような、利用可能なコンポーネントおよび造作（特徴）の寸法（dimension）および性能（performance）のデータを含む。
【００７９】
データメモリ１４およびデータベース１５に記憶されたデータは、その後Ｃにおいて結合され、例えば耳内式補聴器のものであるような３次元コンピュータモデルにおいて必要となる関数（機能）または造作（特徴）を最適なやり方で組み込む。その結果として、補聴器ハウジングの完全なモデルは、メモリ１６において得られ、それは補聴器の完全なモデルを記憶するためのデータベースの一部を形成することが可能である。その後、ハウジング１７は、メモリ１６に記憶されたハウジングのモデルに基づいて、コンピュータ制御の製造プロセスＤにおいて製造される。
【００８０】
耳道の形状を計測（決定）するための静的な方法の原理が、図４に概略的に示されている。耳型（ear impression)１８は、Ａ１においてその耳道１２と共に耳１１によって形成され、耳型１８の寸法は、Ａ２においてディジタル化され、結果として生じるデータがメモリ１３に記憶される。その後、そのデータは、Ｂにおいて３次元コンピュータモデルに変換され、そのモデルがデータメモリ１４に記憶される。
【００８１】
型の外側輪郭を走査してディジタル化する方法は、当業者には容易に利用可能であろう。様々なスキャナおよびプログラムが使用され得る。日本国の大阪におけるミノルタ株式会社から入手可能であるMinolta VIVID 900 型のスキャナを、米国ノースカロライナ州におけるRaindrop Geomagic 社から入手可能な３Ｄフォトグラフィソリューションと組み合わせたものは、有効であると判明している。
【００８２】
図５は、耳型に関して捕捉された形状のコンピュータ表現を示している。耳道の形状を表すデータがメモリ１３内において利用可能であるとき、製造されるべき補聴器ハウジングに適合するシェルに関する３次元コンピュータモデルを生成するように、ＣＡＤ／ＣＡＭ技術の分野において周知であるアルゴリズムを使用してデータを変換することが可能である。図６はシェルの３次元コンピュータモデルを示しており、ここではシェルによって規定される内側キャビティを規定するための壁部の厚さが既に選択されている。
【００８３】
データのコンピュータモデルへの変換は、ユーザ制御または完全コンピュータ制御の下においてインタラクティブに実行することが可能である。適切なＣＡＤ／ＣＡＭプログラムが、当業者には容易に利用可能であろう。様々なプログラムが使用され得ることになる。米国マサチューセッツ州のNeedham におけるＰＴＣから入手可能であるＰｒｏ／ＥＮＧＩＮＥＥＲというＣＡＤ／ＣＡＭプログラムは、有効であると判明している。
【００８４】
図７は、耳内にのぞむシェル１の一部分を示している。レシーバ６は、プラスチック製のホース部材３４によって形成される音響出口管（canal）２１を介して音響出力開口７と連通する出力ポート２０を備えていることが示されている。音響出力開口７の中に侵入する耳垢によるハウジング１の内部の汚染を回避するために、そこには、耳垢ガード２２が配置されている。
【００８５】
図７から図１０において示されるように、耳垢ガード２２は、音響出口管２１の中に摩擦によって嵌り合うように挿入するのに適した長さおよび外径をもつ、短くて実質的に円筒形の管状部材２３を含む。
【００８６】
管状部材２３内の実質的に円筒形の内孔２４は、音響出口管２１の中に挿入される端部において、耳垢保持障壁２５によって部分的に閉鎖されている。障壁２５は、図１０において示されるように、ループおよび半径方向スレッドを備えた仕切りによって構成することも可能である。
【００８７】
管状部材２３の反対側の端部において、耳垢ガード２２は、挿入された位置で、音響出力開口７を取り囲む縁壁部分３０に対して密閉的に当接するカラー２７を有する。図示の実施例では、カラー２７は、凸状の上側面と、凹状ないしは僅かに円錐状の下側面とを有し、カラーの周辺縁部は、縁壁部分３０に対する比較的薄くて柔軟な密閉リップ２８を形成している。従って、カラーの周辺縁部の下における耳垢の移動に対して高度な防護が達成されるのであり、耳垢ガードは、挿入された位置ではシェルの輪郭に従うことになる。これは、特に耳道の最も内側の敏感な部分の中に配置されるＣＩＣ（完全耳道内式）補聴器の場合には、快適性に関して非常に重要なことである。
【００８８】
耳垢ガード２２は、典型的には2.25mm から1.5mmの外径および約１mmという内孔２４の内径を備えるようにして、シリコンゴムまたは熱可塑性エラストマーのような弾性材料によって製造される。
【００８９】
音響出口管２１の中における耳垢ガード２２の固定を改善するために、管状部材２３には、その外面において、例えば少なくとも１つの周方向ビード（bead）２９の形で、摩擦係合のための手段を設けることが可能である。
【００９０】
図示して説明したような耳垢ガードは、シェル内の通気チャネル開口の中に配置することもまた可能である。
【００９１】
図１１に示す実施例では、耳垢ガード２２は、シェル１の縁壁部分３０の外側に当接する環状カラー３３を備えたブッシング３２の中に装着される。ブッシング３２は、好適には、音響出口管２１として機能する弾性のホース部材３４および耳垢ガード２２の両方よりも硬い材料、例えばプラスチックまたは金属によって形成される。ブッシング３２は、ホース部材３４の内側に装着されるものであり、縁壁部分３０にカラー３３を接着または溶着することによってホース部材３４の端部に固定することが可能であり、および／または、それは、締り嵌め（interference fit）によってホース部材３４の中に挿入することも可能である。
【００９２】
好適には、カラー３３の周辺縁部３７は、カラー３３と縁壁部分３０の間における円滑な移行を提供するように、テーパ状に形成される。
【００９３】
図１２に示される実施例では、カラー４３を備えた装着ブッシング４２は、音響出力開口７に直接に装着されるように適合される。音響出口管２１を形成するホース部材３４は、図１１に示されるようにブッシング４２の外側に装着することも可能であるが、図１２に示された実施例では、ホース部材３４は、ブッシング４２の内側に装着されている。
【００９４】
図１３は、シェル１の縁壁部分３０へのカラー５３の取付けを示しており、５７によって示されるように適当な直径に切断し、その後、それを研摩して、カラー５３と縁壁部分３０との間の滑らかな移行を達成する。図１１および図１２に示された実施例においても同様に、カラー３３および４３を備えたブッシング３２および４２を、同じやり方によってシェル１に適合させることが可能である。
【００９５】
図１１から図１７に示されるように、カラーは、シェル１の縁壁部分３０に当接する平坦な面を備えたディスクの形を有することが好適である。それに対応して、シェル１の縁壁部分３０には、カラーを受容するための平坦な当接表面５８が設けられる。図１５に示されるように、シェル１は、表面５８が、好適にはシェル壁部の厚さを変化させることなく、補聴器シェル１の中に座繰りされるように製造することが可能である。
【００９６】
図１６に示されるように、シェル１の組立ての間、ホース部材３４は余分な長さをもつことが可能であり、それはシェル１の縁壁部分３０の中の音響出力開口７を通して案内され、接着または溶着によってそれに固定され、その後、ホース部材３４の突出部分が、表面５８と面一となるように切断される。その場合、シェル１には、図１４に示されるように装着ブッシングなしでカラー５３を設けることが可能である。カラー５３は、接着または溶着によって表面５８に固定することが可能であり、または、シェル１には、図１１に示されるようにホース部材３４の端部に挿入されるカラー３３を備えた装着ブッシング３２を設けることも可能である。
【００９７】
シェル１の縁壁部分３０上に装着されたカラー３３または５３を持つ、組立てられたシェル１が図１７に示されている。
【００９８】
図１８は、この発明に従った補聴器ハウジング１０の中における電子モジュール７４の取付けを更に詳細に示すものである。ハウジング１０は、耳道に適合され、概ね変則的な円錐形状を有するシェル１と、シェル１の外側に向う開口をカバーするフェースプレート２と、フェースプレート２に旋回可能に連結される電池蓋７３と、マイクロフォン３、信号プロセッサ９および電話機の形態をとる音声再生器ないしはレシーバ６を有する電子モジュール７４とを含む。
【００９９】
フェースプレート２は、一体的なフェースプレートであることも可能であるが、図示の実施例では、フェースプレート２は、シェル１とは別個に製造されることになった。フェースプレート２の造作（特徴）は、図１９および図２０に更に詳細に示されている。シェル１にフェースプレート２を取付けるに先立って、フェースプレート２の輪郭は、補聴器ハウジングのモデルにおいて先に特定された接合部の輪郭に従って切断またはフライス削りして、シェル１の外に向った開口も規定するようにして、形成される。接合部輪郭に対応する輪郭は、図１９および図２０では破線２’として示されている。例えば接着によって、フェースプレート２をシェル１に固定した後、他のコンポーネントが、補聴器ハウジングの中に装着される。この発明のこの実施例の１つの重要な利点は、フェースプレート２を備えたシェル１が、その他のコンポーネントがそれらの装着の間に汚染に曝されないように、完成の後にも洗浄され得るということである。
【０１００】
図１８から図２２に示されるように、電池開口７８はフェースプレート２に形成され、これによって、電子モジュール７４と、電池ホルダとして形成される蓋７３の中に挿入されるものとして図２８に示されるように形成され得る電池とを、取外し可能に配置することができる。この目的のため、電池開口７８は、電池の位置決めのための第１の領域７９と、それに整合するようにして、モジュールのマイクロフォン３を収容する電子モジュール７４のソケット８１を挿入するための第２の領域８０とを含む。
【０１０１】
電子モジュール７４のソケット８１を保持するために、一体的な係合手段が、図１９から図２２において示されるように電池開口７８の縁部に形成される。図示の実施例では、その係合手段は１対の溝８２、８３を備え、それらは、電池を位置決めするための第１領域７９の中において電池開口７８の対向する縁部に互いに対向して配置される。これらの溝８２および８３は、フェースプレート２の平面の中における変位に対してソケット８１を保持するものとして機能する。更に、係合手段は、フェースプレート２に直角の方向にシェル１の中に進入する変位に対してソケット８１を保持するための互いに対向する１対のトラック８４および８５と、反対方向への変位に対してソケット８１を保持するための切欠き８６とを含む。
【０１０２】
フェースプレート２に形成された係合手段と係合するために、電子モジュール７４のソケット８１は、図２３および図２４において更に明瞭に示されているように、トラック８４および８５に係合するための側方突出リブ８７と、切欠き８６と係合するためのカム状後方突起８８と、溝８２および８３の中に配置するための突出弾性ラグ８９とを備えるように形成される。
【０１０３】
電池蓋７３が図１８および図１９に示された位置まで旋回して開いた状態で、電子モジュール７４がフェースプレート２の中に配置されるとき、フェースプレート２の下においてシェル１の中に配置されるように意図される電子モジュールの部分、すなわち信号プロセッサ９および電話機６は、電池開口７８を通してシェル１の中に入れられる。ソケット８１は、その後、リブ８７をトラック８４および８５の中に入れた状態で配置され、フェースプレート２の平面において変位され、またはそれに向かって旋回され、これによって、突起８８は切欠き８６と係合されることになり、それによって、弾性ラグ８９もまた溝８２および８３と係合する。
【０１０４】
電池開口７８の縁部における係合手段および電子モジュール７４のソケット８１上における適合する係合手段は、電子モジュール７４が、電池開口７８の第２領域８０の中に実質的に直角に通され、その後、上述の係合を準備するためにフェースプレートの平面の中に変位するようにして、形成されることが可能である。しかしながら、好適には、ソケット８１は、その端部が切欠き８６に当接するようにして傾斜した角度で電池開口７８の中に通され、その後、ソケットが、適所にピボット旋回され、溝８２および８３に対する弾性ラグ８９の係合と切欠き８６に対する突起８８の係合とによって固定される。この設計では、トラック８４，８５の端部およびそれに対応するリブ８７の端部は、電池開口７８の中へのソケットの装着の後、互いに当接して、フェースプレート２の平面の中における変位に対してソケット８１を保持するようにして、形成されることが可能である。
【０１０５】
電子モジュール７４が補聴器から取り出されるとき、弾性ラグ８９は、適当な工具によって溝８２および８３との係合から解放されることが可能であり、その後、ソケット８１は、切欠き８６との係合から突起８８を解放するために、切欠き８６における後方端部を旋回点（ピボット点）として上向きに旋回され、これによって、ソケット８１はフェースプレート２から取り出されることが可能になり、電子モジュール７４の他のコンポーネント７６および７７もまた、電池開口７８を通してシェル１の内部から外に引き出すことが可能になる。
【０１０６】
ソケット８１がその位置に出入りするようにしてピボット旋回することが可能であるこの設計は、特に有益である。なぜなら、この設計における８２から８６の係合手段は、コンパクトに形成されることに加えて、挿入および除去の際にソケット８１を領域７９の中に変位させるための空間を必要とするものではないからである。この設計は、同時に、それでもなおソケット８１の有効な保持を提供する。なぜなら、弾性ラグ８９は、電池の位置決めのために領域７９の中に突出するものであり、ソケットの強力な固定を提供して、装着の後にそれが意図されることなくピボット旋回して外れてしまうことを防止するレバーとしても機能するからである。領域７９の中に突出する弾性ラグ８９の比較的大きな長さは、それと同時に、ソケット８１の除去を容易にするものでもある。なぜなら、ラグ８９は、ラグ８９の外側端部に比較的小さな力を与えることによって係合から容易に押し出されるからである。
【０１０７】
図２１は、電池開口７８の縁部における係合手段の１つの代替的な設計を示しており、ここでは溝８２および８３が上向きに閉じた凹部９０によって代替される。もう１つの実施例では、溝８２および８３は、図２０に示されたように、その開口から拡張される溝トラック８３ａの中に向かって下向きに開いている。この設計は、意図されることなくピボット旋回して係合から外れてしまうことを防止するという、弾性ラグ８９の有効な係合を提供する。
【０１０８】
係合手段のもう１つの実施例は図２２に示されており、電池開口７８の第２領域８０ａが先端を切り取った楔形の形状を有する。トラック８４，８５および切欠き８６は、電池開口７８の対向する縁部における内側方向に突出するアーチ型リブ９１によって代替されており、それはリブ８７の代わりにソケット８１における溝に係合することによってフェースプレート２に対して直角をなす両方向においてソケット８１を保持する。
【０１０９】
図２３および図２４に示されていたように、ソケット８１からの突出弾性ラグ８９は、電池端子９２と一体的に適切に形成されることが可能である。なぜなら、ソケット８１の装着の後、それらのラグは、電池開口７８の第１領域の中に突出するからである。ここでは、ピボット旋回的な蓋７３がその閉鎖位置にあるときに、ラグが図２８に示されるような電池９３の端子と接触する。
【０１１０】
図１８および図２３に示されるように、ピボット旋回的な電池蓋７３は、電子モジュール７４のソケット８１にヒンジ連結される。このソケットには、電池蓋７３の一方の縁部に形成されたヒンジトラック９６と係合することが可能であるピン９５のためのホルダを備えたヒンジベアリング９４が形成されている。
【０１１１】
電池９３を保持するために、電池蓋７３は、少なくとも１８０度にわたって延び、円形断面形状の縁部フランジ９８と共に電池空間９９を形成する、部分的な円筒形壁部９７を有する。一方の端子、通常は電池９３上における負の端子は、図２８に示されているように、電極ボタン１００として形成され、電池蓋７３の一方の面における円筒形壁部９７には、直立した環状縁部１０１が形成されることが可能である。この環状縁部１０１は、電池の適切な配置では電極ボタン１００を取り囲むが、電池が間違った方向に転倒されている場合には、電池蓋７３の閉鎖を妨げる。このことは、電池が間違った極性で挿入されるのを防止する。電池蓋７３の両方の面に縁部フランジ９８が形成される図示の実施例では、電極ボタン１００が配置される縁部フランジ９８の面には、電極ボタンのための余地を提供する窪み１０２が形成される。
【０１１２】
電池蓋７３が閉鎖されるとき、円形断面形状の縁部フランジ９８は、電池開口７８の廻りにおいてフェースプレート２の外側に当接し、電池開口７８の第１領域７９への挿入位置における電池９３の適切な位置決めを保証することになる。フェースプレート２が、電池蓋のための突起を必要としない平坦なディスクを形成することは有利であり、それによって、補聴器の製造は、単純かつ安価になり、補聴器のコンポーネントの挿入および取出しもまた容易に実行される。
【０１１３】
図１８、図１９および図２５に示されるように、電池蓋の設計は、電極ボタン１００とその反対側の電池の端部表面とによって形成される剥き出しの電池端子を備えた電池９３の保持を結果として生じるものであり、電池蓋の閉鎖において、それらの端子は、ソケット８１上の弾性ラグ８９上における一体的な電池端子と直接に接触する。
【０１１４】
電池蓋の閉鎖において、部分的な円筒形壁部９７の主要部分は、さらに、ソケット８１に対して上に配置されることになるが、電池の周方向表面の残りの部分は、シェル１の内部における空間を占有するであろう如何なるソケットによっても取り囲まれないのである。シェル１の壁部は、電池に非常に接近して配置されることが可能であり、シェルは、小さな寸法で形成され得ることになる。
【０１１５】
フェースプレート２との関係において電子モジュールの正確な位置決めおよび保持を生じさせることに加えて、ソケット８１は、電子モジュールの電池端子９２を直接に支持するものであり、それは、ヒンジされた電池蓋との結合によって、電池蓋の閉鎖の間における電池の確実なガイドを提供するものでもある。
【０１１６】
電子モジュールの中において、図１８、図１９、図２３および図２６において特に明瞭であるように、マイクロフォン３は、ソケット８１に直接に接続され、ソケット８１および電池蓋７３のそれぞれに形成されるマイクロフォンポート１０３および１０４を通して周囲と連絡するものであり、電池蓋を閉鎖することによって、それらは、有効に規定された音声アクセスをマイクロフォン３に提供することを示す。図示の実施例では、電池蓋７３におけるマイクロフォンポート１０４は、電池蓋７３を開くことによって比較的容易に洗浄されることが可能である開放スリットとして形成される。
【０１１７】
図２３に示されるように、補聴器の増幅器回路を備えた信号プロセッサ９は、可撓性ワイヤ１０５を介してソケット８１上の端子１０６に接続され、それに対応して、電話機（テレフォン）６は、可撓性ワイヤ１０７を介して信号プロセッサ９に接続される。これは、個別的に適応されるシェル１の中における信号プロセッサ９および電話機６の最も適切な配置を許容するのである。
【０１１８】
図２９ａおよび図２９ｂは、シェル１の内部に向かって内側方向に延びるシェル突起８１の形をとるレシーバホルダ８１の中にレシーバが挿入される、１つの実施例を示している。好適には、少なくとも３つの突起、たとえば４つの突起が設けられ、レシーバ６によって生起され、例えば不都合なフィードバックまたはその他の外乱効果を引き起こす機械的な振動が、補聴器シェル１または補聴器１０のその他の部分に伝搬しないように、レシーバ６を受容し保持する。レシーバホルダ８１の間におけるレシーバ６の柔軟なサスペンションは、例えばシリコンによって形成され、レシーバ６を取り囲んで抱時し、そしてレシーバ６のまわりの少なくとも１つのビードまたは突起８３を有する１つまたはそれ以上の可撓性バンド８２によって提供され、補聴器ハウジングの中におけるレシーバ６の安全かつ振動吸収的な装着を確保する。
【０１１９】
図３０ａはレシーバチャンバ８０を示し、それは、レシーバ６によって生起され、例えば不都合なフィードバックまたはその他の外乱効果を引き起す機械的な振動が、補聴器シェル１または補聴器１０の他の部分に伝搬しないように、レシーバ６を受容して保持するものとして適応される。図３０ｂに更に示されるように、レシーバチャンバ８０におけるレシーバ６の柔軟なサスペンションは、例えばシリコンによって形成され、レシーバ６を取り囲んで抱時し、そして好適にはレシーバ６の角に位置決めされて、レシーバチャンバ８０の対応する角に向かって延びる突起８４を有する１つまたはそれ以上の可撓性バンド８２によって提供され、それによって補聴器ハウジングの中におけるレシーバ６の安全かつ振動吸収的な装着を確保する。
【０１２０】
ＣＡＤ／ＣＡＭシステムは、シェル・モデルにおいて、レシーバチャンバ、シェル突起などのようなレシーバホルダのモデルを包含するように適応される。好適には、それらのレシーバホルダは、選択されたレシーバに適合するように自動的に適応される。
【０１２１】
図３１（ａ）から図３１（ｄ）は、通気チャネル８の様々な実施例の断面を示している。通気チャネル８の位置、通路および断面は、例えばＣＡＤ／ＣＡＭ設計システムを使用して選択されることが可能である。その断面は、通気チャネルの通路の全体にわたって一定に保たれることが可能であり、または、音声の低域フィルタ効果を達成するように、段階的に、好適には多段階的に変化することも可能である。選択された通気チャネルの３次元コンピュータモデルは、シェルのモデルにおいて形成されかつ包含される。レシーバ、マイクロフォン、増幅器、電話機コイルのような補聴器のコンポーネントは、それぞれのコンポーネントの３次元モデルとともにデータベース１５から選択されることが可能である。選択されたコンポーネントは、コンポーネントの最適位置決めおよび選択的衝突制御のために、シェルモデルの中に位置決めされるものとして表示されることが可能である。通気チャネルの位置、通路および形状は、補聴器シェルの内部において利用可能な空間の最適な利用を許容するように、更に修正されることも可能である。実施例（ａ）では、通気チャネル８は、それ自身の壁を有するものであり、実施例（ｂ）では、通気チャネル８は、通気チャネルの壁の一部がシェルの壁の一部によって構成されるようにして、シェル１の壁の中において部分的に一体化されている。補聴器の他のコンポーネントのためにより多くの空間を残しておくことによって、通気チャネル８によって占有される体積を最小化する。円形断面を持つ通気チャネル８は、シェルの壁と通気チャネルの壁の間の利用困難な境界部に体積１９を形成してしまうことが分る。図３１（ｄ）に示されるように、正方形または長方形の断面は、この体積１９を最小化する。しかしながら、図３１（ｃ）に示される断面は、利用困難な体積１９を実質的に形成しない。更に、通気チャネル８は、適宜、シェルの壁の中に完全に一体化することも可能である。
【０１２２】
締リング８６を備えた補聴器シェル１が、図３２に示されている。図３２（ａ）では、シェル１は、選択された締輪郭に沿って延びる溝８８を有するものとして示されている。その溝は、所望の締リング８６に適合する形状および寸法を備えた断面を有する。溝８８の中に装着された締リング８６を備えたシェル１が、図３２（ｂ）に示されている。既に説明したように、締リングは、シェルが耳道の中に装着されたとき耳道に対するシェルの適切、快適かつ確実な締めを提供するものである。
【０１２３】
図３３は、電池開口７８を包むフェースプレート２が別個に製造される、この発明による製造方法を示している。好適には、プレート２は係合手段を含む。補聴器ハウジングのシェル１は、例えばステレオリソグラフィーを使用して、プレート２の頂部において層毎に形成されるものであり、シェル１の第１の層９０すなわちシェル１の断面は、補聴器ハウジングの前もって選択された接合部輪郭に沿って電池開口７８を取り囲むことになる。
【０１２４】
図３４に示されるこの発明のもう１つの実施例では、電池開口７８を包含するフェースプレート２の部分９２だけが、別個に製造される。部分９２の周囲９４は、補聴器ハウジング・モデルの中に含まれ、補聴器ハウジングは、個別的に製造される部分９２に対して層毎に着けられまたは当接し、第１の層がその部分の周囲９４に当接する、一体的なフェースプレート２を備えて製造される。図示のように、周囲９４は、補聴器ハウジングの外側に向かってテーパ状に形成されるものであり、その部分の外側寸法は、その部分の内側寸法よりも僅かに大きめである。これによって、その部分に向かって垂直に伝搬する光線は、周囲９４上のあらゆる点にあたることになる。
【０１２５】
代替的に、シェル１は、図３５に示されるように、フェースプレート２に対向する端部９６から始まるように形成することも可能である。一体的なフェースプレート２は、フェースプレート２の別個に製造される部分９２の周囲９４に適合する周囲を有する開口９８によって終るように形成され、その部分９２は、一体的なフェースプレート２に取付けられるように、開口９８の中に位置決めされて嵌め入れられる。図示されたように、一体的なフェースプレート２は、一体的なフェースプレート２に向かって垂直に伝搬する光線が一体的なフェースプレート２の周囲上のあらゆる点にあたるように、テーパ状に形成されることも可能である。
【０１２６】
図３６は、フェースプレート２によってカバーされるシェル開口のフェースプレート２の下からみた断面を示している。図３６は、フェースプレート位置決め手段４６および適合（嵌合）するシェル位置決め手段４８の様々な実施例を示している。図３６（ａ）では、フェースプレート位置決め手段４６は、フェースプレート２の周囲からフェースプレート２の内側表面に沿って電池開口７３（図示略）まで延びる４本のリブ４７を有する。シェル位置決め手段４８は、フェースプレート２のそれぞれのリブ４７を受容してそれに対して適合する、適合（嵌合）する窪み４９を有する。フェースプレート２は、接合部輪郭５０に沿って切断されるものであり、リブ４７が適合（嵌合）するシェル１の窪み４９によって受容されるとき、それは、接合部輪郭に適合することになり、それによってフェースプレート２およびシェル１の適切な組立てが容易にされるのである。
【０１２７】
図３６（ｂ）では、フェースプレート位置決め手段４６は、これもまた、フェースプレート２の内側表面に沿って延び、接合部輪郭５０におけるシェルの厚さと実質的に等しい周囲５０からの所定の間隔でフェースプレートの周囲５０から延びる、リブ４７を有する。シェル位置決め手段４８は、接合部輪郭５０におけるシェル１を含む。フェースプレート２は、接合部輪郭５０に沿って切断されるものであり、リブ４７の端部がシェル１の内側表面の対応する部分５１に当接するとき、それは、接合部輪郭５０に適合することになる。シェル位置決め手段４８は、対応するフェースプレートリブ４７を受容して保持するための、シェル１の内部に向かって内側方向に延びる接合部輪郭５０における突起５２を更に含むことも可能である。
【０１２８】
個別的に適応されるシェル１、シェル１に対して固定されシェル輪郭に従って形成されるフェースプレート２、電池蓋７３および電子モジュール７４のソケットに対するそのヒンジ連結部を備える、この発明によるモジュール式補聴器に関する上述の設計は、個別的に適応される縮小した寸法の耳内式補聴器の製造を許容する非常にコンパクトな設計並びに、非常に好都合かつ経済的な製造を許容するものである。
【図面の簡単な説明】
【０１２９】
【図１】この発明に従ったＣＡＤ／ＣＡＭシステムを示す。
【図２】耳内式補聴器を示す断面図である。
【図３】補聴器を製造するためのこの発明の１つの実施例のプロセスステップを概略的に示す。
【図４】耳道の形状を捕捉するためのこの発明の１つの実施例のプロセスステップを概略的に示す。
【図５】耳の型の捕捉された形状のコンピュータ表現を示す。
【図６】内側表面での内部キャビティを規定する既に計算された壁の厚さを伴うシェルの３次元コンピュータモデルを示す。
【図７】音響出力開口を備えた補聴器ハウジングの一部の断面図である。
【図８】図７の一部を拡大して示す。
【図９】耳垢ガードを示す斜視図である。
【図１０】耳垢ガードを示すもう１つの斜視図である。
【図１１】耳垢ガードを位置決めするために設計された音響出力開口を備える補聴器ハウジングの一部を示す断面図である。
【図１２】図１１における実施例の変形例を示す。
【図１３】この発明に従った補聴器の製造において使用される方法を示す。
【図１４】この発明に従った補聴器の製造において使用される方法を示す。
【図１５】この発明に従った補聴器の製造において使用される方法を示す。
【図１６】この発明に従った補聴器の製造において使用される方法を示す。
【図１７】この本発明に従った補聴器の製造において使用される方法を示す。
【図１８】この本発明に従った補聴器ハウジングの１つの実施例を示す斜視図である。
【図１９】挿入された電子モジュールとフェースプレートに連結された電池蓋とを備えて図１８の補聴器において使用されるフェースプレートを示す斜視図である。
【図２０】フェースプレートそれ自体を示す斜視図である。
【図２１】フェースプレートの設計の詳細を示す。
【図２２】フェースプレートの設計の更なる詳細を示す。
【図２３】図１８の補聴器において使用される電子モジュールを示す。
【図２４】電子モジュールのソケット部分を示す。
【図２５】電池蓋の設計を示す。
【図２６】電池蓋の設計を示す。
【図２７】電池蓋の設計を示す。
【図２８】図１８の補聴器において使用される補聴器電池の一例を示す。
【図２９】（ａ）はレシーバ設けられるシェルの中におけるレシーバホルダを示し、（ｂ）は、レシーバのないシェルの中におけるレシーバホルダを示す。
【図３０】（ａ）は、シェルの中におけるレシーバチャンバを示し、（ｂ）はレシーバチャンバの中におけるレシーバのサスペンションを示す。
【図３１】（ａ）ないし（ｄ）はシェルの中における通気チャネルの一例の断面図である。
【図３２】（ａ）および（ｂ）は締リングを備えたシェルおよび備えていないシェルを示す。
【図３３】この発明の１つの好適な実施例に従って製造されたシェルを示す断面図である。
【図３４】この発明のもう１つの好適な実施例に従って製造されたシェルを示す断面図である。
【図３５】この発明の更なるもう１つの好適な実施例に従って製造されたシェルを示す断面図である。
【図３６】（ａ）および（ｂ）はフェースプレートの様々な実施例を示す。
【図１】
2008154296.tif 000003
【図２】
2008154296.tif 000004
【図３】
2008154296.tif 000005
【図４】
2008154296.tif 000006
【図５】
2008154296.tif 000007
【図６】
2008154296.tif 000008
【図７】
2008154296.tif 000009
【図８】
2008154296.tif 000010
【図９】
2008154296.tif 000011
【図１０】
2008154296.tif 000012
【図１１】
2008154296.tif 000013
【図１２】
2008154296.tif 000014
【図１３】
2008154296.tif 000015
【図１４】
2008154296.tif 000016
【図１５】
2008154296.tif 000017
【図１６】
2008154296.tif 000018
【図１７】
2008154296.tif 000019
【図１８】
2008154296.tif 000020
【図１９】
2008154296.tif 000021
【図２０】
2008154296.tif 000022
【図２１】
2008154296.tif 000023
【図２２】
2008154296.tif 000024
【図２３】
2008154296.tif 000025
【図２４】
2008154296.tif 000026
【図２５】
2008154296.tif 000027
【図２６】
2008154296.tif 000028
【図２７】
2008154296.tif 000029
【図２８】
2008154296.tif 000030
【図２９】
2008154296.tif 000031
【図３０】
2008154296.tif 000032
【図３１】
2008154296.tif 000033
【図３２】
2008154296.tif 000034
【図３３】
2008154296.tif 000035
【図３４】
2008154296.tif 000036
【図３５】
2008154296.tif 000037
【図３６】
2008154296.tif 000038